(57)【特許請求の範囲】
【請求項１】
乗員の臀部を支えるシートクッションと、乗員の背面を支えるシートバックとを備え、前記シートバックは、残部シェルと、前記残部シェルに対して開閉可能に構成された開閉部シェルと、前記開閉部シェル及び残部シェルの少なくとも一方に、複数種の収納対象物を交換可能に取り付ける取付部とを備えた収納式シートにおいて、
前記収納対象物の一つにはチャイルドシートが含まれ、
前記チャイルドシートには、前記チャイルドシートに対して幼児の胸部を固定するための胸部固定部と、前記チャイルドシートに対して幼児の脚部を固定するための脚部固定部とが設けられ、
前記胸部固定部および前記脚部固定部には、それぞれ胸部ベルトおよび脚部ベルトが設けられ、
前記残部シェルには、ロック受け部と、前記胸部ベルトを嵌合する胸部鞘とが、前記取付部とは別に設けられ、
前記開閉部シェルには、前記ロック受け部と嵌合し該開閉部シェルの閉状態を維持する収納レバー部と、前記脚部ベルトと嵌合する脚部鞘と、前記開閉部シェルの閉状態において前記胸部鞘と嵌合する収納バックルとが、前記取付部とは別に設けられ、
前記収納レバー部、前記胸部鞘及び前記脚部鞘は、前記残部シェル及び前記開閉部シェル内部を貫通するケーブルによって連結され、
前記収納レバー部のレバーを引くことで、前記胸部鞘及び前記脚部鞘とが同時に開放するように構成されていることを特徴とする収納式シート。
【請求項２】
前記残部シェルと開閉部シェルとの間には、開閉制御部が設けられていることを特徴とする請求項１に記載の収納式シート。
【請求項３】
前記開閉部シェルに、当該開閉部シェルの開放状態を維持する開放ロック部を備えていることを特徴とする請求項１または２に記載の収納式シート。
【請求項４】
前記残部シェルには、収納式シート後部のトランクに通ずるように、開口部が設けられていることを特徴とする請求項１乃至３のいずれか１項に記載の収納式シート。
【請求項５】
前記開閉部シェルの少なくとも一部が防水加工されていることを特徴とする請求項１乃至４のいずれか１項に記載の収納式シート。
【発明の詳細な説明】
【０００１】
【発明の属する技術分野】
本発明は、収納機能を有した自動車のシートに係り、特に、チャイルドシート等をシートバックに交換可能に組み込むことができると共に、安全性、経済性、利便性に優れた収納式シートに関する。
【０００２】
【従来の技術】
近年、自動車乗車中の幼児の交通事故における死傷者数の増加率は、自動車乗車中の交通事故死傷者総数の増加率と比較し、約４倍近くを示しており、極めて急激な勢いで増加している状況にあるなど、自動車に乗車する幼児を交通事故の被害から守ることが緊急の課題になってきた。
【０００３】
このような情勢を受け、道路交通法が改正（平成１１年法律第４０号）され、自動車の運転者が６歳未満の幼児を自動車に乗車させる場合に幼児用補助装置（以下「チャイルドシート」という。）の使用が義務付けられることとなり、それに伴って、チャイルドシートの開発が急速に進められている。
【０００４】
このチャイルドシートは、通常、幼児の成長段階に合わせて、乳児用（体重１０ｋｇ未満、新生児から１歳くらい対象）、幼児用（体重９から１８ｋｇ以下、１から４歳くらい対象）、学童用（体重１５から３６ｋｇ以下、４から１０歳くらい）の３段階に分けられている。また、幼児の安全性、利便性、快適性などの視点に立ち、様々な改良が加えられている。
【０００５】
このようなチャイルドシートの一例を以下に示す。特開２０００−２３８５６２号公報には、図２４に示すような収納式のチャイルドシート８１が示されている。即ち、あらかじめ自動車のシート８０のシートバック８２裏面に組み込まれており、使用時にはシートバック８２本体と、連結部８５を通じて回動可能に連結された開閉部８４を、シートクッション８３に向かって引き出し、不使用時には前記開閉部８４をシートバック８２に畳み込むことで収納し、通常のシート８０として使用できるようにしたものである。この発明は、チャイルドシートの不使用時における着脱に係る手間を省くことを図ったものである。
【０００６】
また、チャイルドシートのベルトの構造では、図２５に示すようなものが一般的に知られている。即ち、シートバック９１とシートクッション９２の間から腰周囲を保持するように取り付けられた腰ベルト９３と、シートバック９１上部から両肩を通して上半身を固定するように取り付けられた一対の肩ベルト９４とを、シートクッション９２の股間部分に取り付けられたバックル９５によって、一括連結したものである。こうした構成により、幼児の身体は、肩、腰、股間部の３点からチャイルドシート９０に確実に固定されるため、安全性を高めることができると共に、ベルトを解放する場合には、複数のベルトをひとつずつ外すことなく、バックル９５に取り付けられたプレスボタン９６を押すだけでよいため、幼児の乗降及びそれを介助する保護者の手間が省かれるようになっている。
【０００７】
【発明が解決しようとする課題】
ところで、上述の通り、チャイルドシートは幼児の成長段階に合わせて３段階に分かれており、その段階に応じて幼児の体型に合ったシートに交換していくことは、幼児の安全上、当然に必要なことであり、保護者の義務であるといっても過言ではない。こうしたことを図１７に示した収納式チャイルドシート８１の場合で考えてみると、チャイルドシート８１を他の段階のものに交換するには、それが予め自動車に組み込まれたものであるがゆえに、シート８０ごと若しくは自動車ごとの交換が必要となる。しかし、幼児の成長の早さから考えて、各段階のチャイルドシート８１は、一般的に最短で１年程度、最長で５年程度しか使用できないため、その度にシート８０ごと交換することは、著しく経済性を損なうものである。さらに、幼児が成長しチャイルドシート８１を必要としない年齢（６歳以上）に達した場合には、もはやシート８０に組み込まれたチャイルドシート８１は不要となり、その機能自体無駄となってしまう。
【０００８】
一方、図１８に示した一般的なチャイルドシート９０のベルトの構造においては、上述した通り、介助者の負担の軽減を図るため、ベルトを解放するプレスボタン９６は、容易に解放できるプッシュ式になっていると共に、バックル９５の中央部という幼児の手の届く範囲に設置されている。それゆえ、興味本位やベルトの拘束感への抵抗から幼児自らが押すことによる解放、及び自動車の急ブレーキや衝突等の突発的事態におけるプッシュボタン９６への異物の接触による誤解放の可能性は充分考えられ、安全上問題がある。
【０００９】
本発明は、上記のような従来技術の問題点を解決するために提案されたものであり、その目的は、チャイルドシート等をシートバックに交換可能に組み込むことができることによって、用途が多目的で、さらに安全性、経済性、利便性に優れた収納式シートを提供することにある。
【００１０】
【課題を解決するための手段】
上記目的を達成するため、請求項１記載の発明は、乗員の臀部を支えるシートクッションと、乗員の背面を支えるシートバックとを備え、前記シートバックは、残部シェルと、前記残部シェルに対して開閉可能に構成された開閉部シェルと、前記開閉部シェル及び残部シェルの少なくとも一方に、複数種の収納対象物を交換可能に取り付ける取付部とを備えた収納式シートにおいて、前記収納対象物の一つにはチャイルドシートが含まれ、前記チャイルドシートには、前記チャイルドシートに対して幼児の胸部を固定するための胸部固定部と、前記チャイルドシートに対して幼児の脚部を固定するための脚部固定部とが設けられ、前記胸部固定部および前記脚部固定部には、それぞれ胸部ベルトおよび脚部ベルトが設けられ、前記残部シェルには、ロック受け部と、前記胸部ベルトを嵌合する胸部鞘とが、前記取付部とは別に設けられ、前記開閉部シェルには、前記ロック受け部と嵌合し該開閉部シェルの閉状態を維持する収納レバー部と、前記脚部ベルトと嵌合する脚部鞘と、前記開閉部シェルの閉状態において前記胸部鞘と嵌合する収納バックルとが、前記取付部とは別に設けられ、前記収納レバー部、前記胸部鞘及び前記脚部鞘は、前記残部シェル及び前記開閉部シェル内部を貫通するケーブルによって連結され、前記収納レバー部のレバーを引くことで、前記胸部鞘及び前記脚部鞘とが同時に開放するように構成されていることを特徴とする。
【００１１】
以上のような請求項１記載の発明では、前記収納式シートは、複数種の収納対象物に対応する取付部を備えているため、例えば、収納対象物のひとつであるチャイルドシートを、幼児の成長段階に合わせて、簡易に交換、取付及び収納できるのみならず、幼児がチャイルドシート等を必要としなくなった後においても、収納式シートとして多目的に活用することができる。
【００１２】
また、胸部固定部及び脚部固定部の双方が、独立して幼児を保護するため、安全面での信頼が向上すると共に、双方が一括連結されているため、一方の固定部を操作するのみで双方の締め具合を調節することができる。さらに、前記胸部鞘及び前記脚部鞘の二箇所によって、前記胸部固定部及び前記脚部固定部を保持することが可能となるため、例えば、従来技術で示したような、両固定部を一箇所のみで保持する場合に比して、幼児の身体をシートに確実に固定できると共に、幼児の体型の個人差及び変化に対応することができるようになる。
【００１３】
さらに、前記ケーブルによって収納レバー部の操作のみによって、胸部鞘及び脚部鞘を同時に開放することができるため、前記胸部固定部及び前記脚部固定部の拘束解除を同時に行うことが可能で、幼児を乗降させる作業をスムースに行うことができ、介助者の負担を著しく軽減することができる。
【００１４】
また、開閉部シェルを残部シェルに対して、ロック受け部及び収納レバー部と胸部鞘及び収納バックルとの二箇所でロックできるため、例えば、衝突等による極度な衝撃等が加わった場合であっても、誤開放等するのを防ぐことができる。
【００１５】
請求項２記載の発明は、請求項１記載の発明において、前記残部シェルと開閉部シェルとの間には、開閉制御部が設けられていることを特徴とする。以上のような請求項２記載の発明では、前記開閉制御部に作用によって、前記開閉部シェルの開閉速度を調節することができるので、急激な開閉によって開閉部シェルとシートクッション及び残部シェル間に手などを挟まれることを防ぐことができる。
【００１６】
請求項３記載の発明は、請求項１または２に記載の発明において、前記開閉部シェルに、当該開閉部シェルの開放状態を維持する開放ロック部を備えていることを特徴とする。以上のような請求項３記載の発明では、開閉ロック部によって、開閉部シェルの開閉状態を維持することができるので、例えば、自動車の上下左右方向への揺れや衝撃等によって、開閉部シェルが跳ね上がったり、閉じたりするのを防ぐことができる。
【００１７】
請求項４記載の発明は、請求項１乃至３のいずれか１項に記載の発明において、前記残部シェルには、収納式シート後部のトランクに通ずるように、開口部が設けられていることを特徴とする。以上のような請求項４記載の発明では、複数種の収納対象物のうち、例えば、クーラボックスをその対象とした際に、このクーラボックスをトランクから前記開口部に向けて設置することができると共に、収納式シートを開閉することで、クーラボックスを車内から利用することが可能となる。
【００１８】
請求項５記載の発明は、請求項１乃至４のいずれか１項に記載の発明において、前記開閉部シェルの少なくとも一部が防水加工されていることを特徴とする。以上のような請求項５記載の発明では、前記開閉部シェルと前記開口部とが連携して、例えば、雨天時における傘の収納箇所として、また生鮮食料品や飲料水のボトル等、湿り気を帯びたものを収納するスペースとして利用することも考えられ、さらに、さまざま用途及び目的に対応した活用方法を提供することができるようになる。
【００１９】
【発明の実施の形態】
本発明における収納式シートの実施の形態について、図１〜１６を参照して具体的に説明する。なお、特許請求の範囲における取付部は、本実施の形態においては、取付部及び取付レールとし、同様に、収納対象物には、チャイルドシート、ベビーシート、ブースターシート、クーラボックス等を含むものとする。また、チャイルドシート、ベビーシート及びブースターシートとは、順に、幼児用（体重９から１８ｋｇ以下、１から４歳くらい対象）、乳児用（体重１０ｋｇ未満、新生児から１歳くらい対象）、学童用（体重１５から３６ｋｇ以下、４から１０歳くらい）として用いることを想定したものである。但し、本発明は、使用年齢や体重をこれらの具体的な数字に限定するものではない。
【００２０】
〔１．  実施の形態の構成〕
図１は、本実施の形態における収納式シート１の開放状態を示す斜視図である。
【００２１】
〔１−１．全体構成〕
本実施の形態における収納式シート１は、図１に示すように、自動車の後部座席の左右両方若しくは一方（ここでは左方のみ示す）に組み込まれており、乗員の臀部を支えるシートクッション２と、背部を支えるシートバック３とからなり、さらに、その裏面には、後部からの極度な衝撃に対し、衝撃吸収及び強度確保の役割を果たす安全ボーン４が備えられている。前記シートバック３は、固定された残部シェル１１と、シートクッション３側に開閉する開閉部シェル１２の２つの部材からなる。両者はその下端部に貫通した連結棒１３を介して、回動可能に接続されていると共に、その上端部の収納レバー部１４によって開放及びロックを調整できるようになっている。また、両シェルの下部左右には、開閉部シェル１２の開閉速度を調整する開閉制御部１５と、さらにその外側に開放時において開閉部シェル１２の誤動作を防止する開放ロック部１６が設けられている。
【００２２】
開閉制御部１５は、例えば、エアピストンのような一定の圧力によって伸縮する構成を有している。開放ロック部１６は、図２の斜視図（Ａ）と模式図（Ｂ）に示すように、一部が略円形状に欠けた円盤１７と、一対の取手１８と、前記円盤１７直近に設けられたロック部１９と、取手１８の内側面間に連結部１３と平行に取り付けられた解除部２０とからなる。円盤１７及び取手１８は、共にその中心を連結棒１３が貫通すると共に、前者は開閉部シェル１２にその開閉動作と同調するように固定的に取り付けられ、後者は図中に一点鎖線と実線で示すように、連結棒１３に対して２段階に回転動作をなす。ロック部１９は、開閉部シェル１２に固定された支持部１９ａと、その端部は円盤１７の欠けた部分と噛み合う楕円形状のロックバー１９ｂとからなり、さらに、ロックバー１９ｂ端部は支持部１９ａに対して回転可能に接続され、内部に設けられたバネによってロックバー１９ｂの先端部は、常時円盤１７側下方（図中の矢印Ｐ方向）に押さえつけられている。
【００２３】
開放ロック部１６は、開閉部シェル１２開放時には、ロックバー１９ｂ先端が円盤１７の欠けた部分に噛み合うことによって、円盤１７の回転を阻止し、その結果、開閉部シェル１２は開放状態に固定される。一方、開閉部シェル１２収納時には、取手１８を上述した一点鎖線で示す位置まで引き上げることによって、解除棒２０がロックバー１９ｂ先端を円盤１７から引き離すため、開放固定状態が解除され、収納可能となる。なお、取手１８は、収納時には上記一点鎖線で示す位置にあり、開閉部シェル１２を開放した際には、実線で示す位置に自動的に移動するようになっている。
【００２４】
〔１−２．シェルの構成〕
（１）残部シェルの構成
残部シェル１１は、図３に示すように、その中央部に設けられた開口部２１と、開口部２１の左右外縁に沿って設けられた一対の取付レール２２と、取付レール２２下端部に設けられた一対のレール支持孔２３と、残部シェル１１の左右両端部の中央近傍に設けられた胸部鞘２４と、上端部に設けられたロック受け部２５とからなる。
【００２５】
開口部２１は、後述するクーラボックス等の収納対象物を収納する部分であり、収納式シート１裏面からトランク等に貫通している。形状は略長方形で、その容積等は後述する収納対象物の大きさから自由に設定される。取付レール２２は、鉄、アルミ等の金属のように堅固な素材からなり、図４にその断面を示すように鍵型をなし、その縦方向の長さは、開口部２１の縦方向の長さと略同一である。レール支持孔２３は、上部が開口した箱形で、後述する収納対象物の取付棒挿入端部をその底面で受けて、保持・固定する部分であり、断面の形状及び素材は、前記取り付けレール２２と同一である。ロック受け部２５は、上述した収納レバー部１４と接続し、残部シェル１１と開閉部シェル１２とを固定する部分である。胸部鞘２４は、後述する収納バックル３０及びチャイルドシート３０の脚部ベルト４５と相嵌合する部分である。
【００２６】
（２）開閉部シェルの構成
開閉部シェル１２は、図５に示すように、中央が隆起した腰掛部２６と、腰掛部２６左右に設けられた側面部２７とからなり、両者は側方壁２８を介して互いに隔てられている。さらに、開閉部シェル１２先端の一部には、上述した収納レバー部１４が設けられている。
【００２７】
腰掛部２６は、後述するチャイルドシート使用時には、そのまま幼児の腰掛けシートとして用いられるため、中央が隆起し、その前方左右には窪みが形成され、幼児の臀部及び脚部がずれを抑えるようになっている。また、この窪みには、左右に一対の取付部３１が設けられ、中央隆起の中心付近には、後述する脚部ベルト４５を通すための脚部ベルト孔３２が設けられている。側方壁２８には、前記中央隆起の左右延長線上に脚部鞘２９と、その前方に収納バックル３０とが設けられている。脚部鞘２９は、上述した胸部鞘２４同様、チャイルドシート使用時に脚部ベルト４５と接続する部分である。また、収納バックル３０は、開閉部シェル１２収納時に、上述した胸部鞘２４と嵌合し、上記収納レバー部１４と共に、残部シェル１１と開閉部シェル１２の開放及びロックを調整する。
【００２８】
ここで図６に示すように、残部シェル１１及び開閉部シェル１２内部にはケーブル３３が巡らされている。即ち、収納レバー部１４から連結部３４まではケーブル３３ａが、連結部３４から一対の胸部鞘２４まではケーブル３３ｂが、同様に連結部３４から一対の脚部鞘２９までをケーブル３３ｃがそれぞれ張られている。これらは以下に示すような機構を有している。まず、図７に示すように、収納レバー部１４を矢印Ａ方向に引くことによって、それに取り付けられたケーブル３３ａが同方向に引きあげられると、これに伴って、図８に示すように、連結部３４が、点Ｏを支点に矢印Ｂ方向に回転し、ケーブル３３ｂ及びケーブル３３ｃがそれぞれ矢印Ｃ、Ｄ方向に引かれる。そうすると、図９に示すように、胸部鞘２４及び脚部鞘２９において、鞘背面に通されたケーブル３３ｂ、３３ｃがそれぞれ矢印Ｅ方向に引かれることによってバックル２４’、２９’が左右に広がり、ロックが解除される。即ち、収納レバー部１４を引くと、同時にケーブル３３ａ、３３ｂ、３３ｃがそれぞれ引っ張られ、胸部鞘２４及び脚部鞘２９のロック機構は一斉に解除されるようになっている。
【００２９】
取付部３１は、図５に示すように、腰掛部２６の左右窪み部分に長方形状に開口し、図１０に示すように、一対の開口部３１ａと、その先端の内側面に両開口部３１ａ間を貫通する楕円状の内孔３１ｂと、外側面に同形の外孔３１ｃとを有し、末端に円柱状に開口した差込孔３１ｄを有している。この内孔３１ｂには楕円状の引掛棒３１ｅが通され、両端部を外孔３１ｃによって支えられている。この引掛棒３１ｅは、高さは内孔３１ｂ及び外孔３１ｃと略同一であるが、幅は若干小さく構成されている。そのため、前後にスライドするが、前方向からバネＳの働きによって後方に押しつけられている。
【００３０】
〔１−３．収納対象物の構成〕
（１）チャイルドシートの構成
チャイルドシート４０は、図１１及び図１２に示す、背もたれ部４１とフットレスト４９の組み合わせからなっている。背もたれ部４１は、幼児の上半身を包み込むように保護するため、すり鉢状に窪みを有しており、その前面上方には、左右を一対の胸部ベルト４３を有する胸部固定部４２と、中央下部に脚部ベルト４５を有する脚部固定部４４が設けられている。前記胸部ベルト４３は背もたれ部３１上方に２箇所設けられた胸部ベルト孔４３ａより、脚部ベルト４５は下端部より、それぞれ背もたれ部４１の背面に通され、一括連結されている。
【００３１】
ここで、胸部ベルト４３と胸部固定部４２は、図１３に示すように、胸部固定部４２上に設けられたアジャストバックル４２ａによって長短調整可能に連結されている。そのため、このアジャストバックル４２ａに通された胸部ベルト４３の先端部を図中に矢印で示す方向に動かすことによって、胸部ベルト４３の長短の調整ができると共に、上述した連結機能によって、脚部ベルト４５の調整も可能である。また、脚部ベルト４５及び脚部固定部４４は、面ファスナ等により着脱可能に連結されている。さらに、胸部固定部４２及び脚部固定部４４の左右両端部には、上述した胸部鞘２４及び脚部鞘２７に嵌合される一対のバックル４６・４７が設けられている。
【００３２】
背もたれ部４１背面には、左右に一対の取付棒４８が設けられている。この取付棒４８の断面は、図１４に示すように、左右中央部に窪みのあるレール状をなしており、その長さ、形共に、上述した取付レール２２（図中に点線で示す）と合致するようになっている。
【００３３】
フットレスト４９は、図１２に示すように、左右一対（図１２では片方のみを示す）で構成され、幼児が足を掛ける足掛部４９ａと、開閉部シェル１２の取付部３１（図５参照）と接続、固定する支持部４９ｂとからなる。この足掛部４９ａの形状は縦長で、表面の大きさは、例えば、縦１０センチメートル程度、横５センチメートル程度といったように、幼児の足がはみ出さないものであればよい。その材料は、プラスティック、木材、金属等いかなるものによっても構成可能であるが、幼児の身体にとって害とならない材料に限る必要があり、また、利便性及び安全性から軽量でかつ丈夫なものであることが望ましい。支持部４９ｂは、上述した取付部３１の開口部３１ａの形状と略同一で、下部に引掛棒３１ｅと噛み合う引掛部４９ｃと、差込孔３１ｄに差し込むための差込棒４９ｄを有している。さらに、足掛部４９ａの位置は、足掛部４９ａを矢印方向に倒すことで、支持部４９ｂの波形に沿って数段階に調節できるようになっている。
【００３４】
（２）ベビーシートの構成
ベビーシート５０は、図１５（Ａ）にその斜視図を、（Ｂ）にその模式図を示すように、幼児を寝かせるためのかご部材５１と、前記かご部材５１を残部シェル１１及び開閉部シェル１２に設置・固定する支持部材５２とからなる。前記かご部材５１は、横断面が略方形状、側断面が略三角形状で上面が開口したかご５１ａと、前記かご５１ａの上部中央両端部に回動部５１ｃを介して回動可能に取り付けられたアーム５１ｂとからなる。また、前記回動部５１ｃ下部には、かご部材５１を支持部材５２に対して固定する固定部５１ｄが設けられており、その形状は、図１６に示すように、先端が鍵型をなしている。一方、支持部材５２は、方形状で前記かご部材５１下部の一部をその傾斜に沿って覆っている支持枠５２ａと、上述した取付部３１に取り付けるための底部取付棒５２ｂと、残部シェル１１の取付レール２２に対して嵌合する背部取付棒５２ｃとからなる。
【００３５】
底部取付棒５２ｂの下端部には、上述したフットレスト４９の引掛部４９ｃと同様の構成による引掛部５２ｅが設けられており、フットレスト４９と同様の方法によって、取付部３１の引掛棒３１ｅ（図１０参照）に取り付けるようになっている。背部取付棒５２ｃも、また、図１４で示した取付棒４８と同様の構成からなっている。
【００３６】
ここで、支持枠５２ａの左右両端部には、固定部５１ｄの鍵部分を受ける受け部５２ｄが、固定部５１ｄの動作範囲に沿って、その前端は開口し後端は次第にすぼまる形状で設けられている。従って、アーム５１ｂを前方（図中に二点鎖線で示す位置）に倒した場合には、固定部５１ｄの鍵部分が受け部５２ｄの後端に噛み合い、かご部材５１は支持部材５２に対して固定される一方、アーム５１ｂを後方に（図中に実線で示す位置）に起こした場合には、固定部５１は受け部５２ｄの前端の開口から外れることで、かご部材５１を支持部材５２から取り外せるようになっている。
【００３７】
（３）ブースターシートの構成
ブースターシート６０は、図１７に示すように、背もたれ部と腰掛け部を合わせるように折り畳むことのできるシート６１と、その背もたれ部の左右に設けられた折り畳み可能の肘掛け６２と、下部前方に設けられた底部取付部６３と、背もたれ部背面に設けられた背部取付部６４とからなる。前記底部取付部６３は、上述したフットレスト４９の支持部４９ｂから波形を除いた場合の構成と同様で、シート６１前方下部に左右２本固定的に取り付けられている。背部取付部６４は、図１４に示した取付棒４８の構成と同様で、残部シェル１１の取付レール２２（図３参照）と合致する位置に左右２本取り付けられている。
【００３８】
（４）クーラボックスの構成
クーラボックス７０は、図１８に示すように、残部シェル１１の背面トランク（図示せず）に設置されているボックス部７１と、開閉部シェル１２に設置された蓋部７２とからなる。ボックス部７１は、上述した開口部２１と同一の形状の開口７１ａと、底部に排気口７１ｂを有し、この排気口７１ｂは図示しないトランク底部の換気口から外部に繋がっている。ボックス部７１の容量は、設置する自動車のシート及びトランクの大きさやユーザの利用目的に応じて変更可能である。蓋部７２は、前記開口７１ａより僅かに大きく形成されると共に、開口７１ａとの接合部分にはゴム等が取り付けられ、密閉できるようになっている。また、蓋部７２表面左右には、上述したブースターシート６０の底部取付部６３と同様の底部取付部７３が固定的に取り付けられており、他の構成における場合同様、かかる機能によって開閉部シェル１２に固定されるようになっている。
【００３９】
〔２．実施の形態の作用〕
上記のような構成からなる本実施の形態における収納式シート１の作用について、構成に応じた作用ごとに分説する。
【００４０】
（１）チャイルドシート設置時の作用
図１９（Ａ）（Ｂ）は、それぞれ収納式シート１の収納状態と、開放状態を示す模式図であり、図２０は、収納式シート１に対して、チャイルドシート４０を設置した様子を示す斜視図である。図１９（Ａ）において、収納式シート１が閉じた状態から、収納レバー部１４を矢印Ｐ方向に引くと、収納レバー部１４がロック受け部２５から外れると共に、ケーブル３３（図６参照）が引かれることによって、残部シェル１１左右にある胸部鞘２４が開放され、収納バックル３０のロックが解除される。すると、シートバック４下端部の連結部１３を支点として、左右の開閉制御部１５に制御されながら、一定の速度で開閉部シェル１２が開放する。開閉部シェル１２が、シートクッション３に接するまで開くと、図１９（Ｂ）に示すように、開放ロック部１６のロックバー１９ｂ先端が、円盤１７に噛み合い（図２参照）、円盤１７の回転が阻止されると共に開閉部シェル１２が固定される。また、この動作に応じて、取手１８は、矢印Ｒ方向に移動する。
【００４１】
上記のような開放動作が完了したら、図２０に示すように、残部シェル１１の取付レール２２に対して、チャイルドシート４０の取付棒４８を、下方に向かって取り付ける。この際、取付棒４８の下端部がレール支持孔２３に届くまで、しっかりと取り付ける必要がある。また、上記作業と同時に、背もたれ部４１背面から脚部ベルト４５を前面に回しつつ、開閉部シェル１２後部から、脚部ベルト孔３２に通して開閉部シェル１２前面に引き出し（図５及び図１１参照）、さらに、引き出した脚部ベルト４５と脚部固定部４４とを面ファスナによって接続する。
【００４２】
背もたれ部３１の設置完了後、取付部３１に対してフットレスト４９を取り付けるが、この様子を図１０及び図１２を参照して説明する。まず、支持部４９ｂの引掛部４９ｃを引掛棒３１ｅに引っ掛け、支持部４９ｂを前方に押しながら、差込棒４９ｄを差込孔３１ｄに挿入する。引掛棒３１ｄは、上述の通りバネ力によって常時後方に押しつけられているため、差込棒４９ｄ挿入後も、引掛部４９ｃに押しつくことで、両者はしっかりと噛み合い、支持部４９ｂは取付部３１に対して固定されることとなる。
【００４３】
その後、幼児を座らせるが、その際には、腰掛部２６中央の隆起部分及び脚部ベルト４５が、ちょうど股間の位置にくるように注意しながら、なるべく深く座らせる必要がある。幼児を座らせたら、脚部固定部４４を腰回りに巻付け、両端のバックル４７を脚部鞘２９にそれぞれ挿入・接続し、同様に、胸部固定部４２を幼児の頭部からかぶらせながら胸部付近まで下ろし、両端のバックル４６を胸部鞘２４にそれぞれ挿入・接続する。この際、胸部固定部４２及び脚部固定部４４による拘束がきつい若しくは緩い場合には、胸部固定部４２に設けられたアジャストバックル４２ａにより両者を同時に調整する。さらに、予め取り付けられたフットレスト４９の足掛部４９ａの位置を幼児の足の位置に応じて調整する。なお、調整する際には、幼児の足が完全に伸びきっている若しくは届かないような位置にはせず、足の裏が足掛部４９ａ表面に完全に設置するくらいの余裕を持たせた位置にすることが望ましい。
【００４４】
幼児をチャイルドシート４０から降ろすには、まず、収納レバー部１４を前方に引く。すると、シェル内部に通されたケーブル３３（図６参照）が引かれ、胸部鞘２４及び脚部鞘２９内部のロックがそれぞれ同時に開放し、胸部固定部４２及び脚部固定部４４による拘束が解除する。各固定部の拘束が解除されたら、各シールドを幼児の身体に絡まらないように注意しながら外し、チャイルドシート４０から降ろすようにする。
【００４５】
チャイルドシート４０の使用が終了し収納する場合には、開閉部シェル１２の側面部２７左右にある開放ロック部１６のどちらか一方を上方に引くことによって、解除棒２０がロックバー１９ｂを円盤１７から引き離すため（図２参照）、開閉部シェル１２のロック状態が解除され、開閉可能となる。そして、開閉制御部１５によって制御されながら、開閉部シェル１２を起こし残部シェル１１と重ねると、収納レバー部１４及びロック受け部２５と収納バックル２８及び胸部鞘２４がそれぞれ接続・固定されることによって、収納状態となる。なお、チャイルドシート４０の両固定部４２、４４等は、２つのシェルの間のスペースに収納される。
【００４６】
（２）ベビーシート設置時の作用
図２１は、収納式シート１に対して、ベビーシート５０を設置した様子を示す斜視図である。なお、収納シート１の開閉の作用については、チャイルドシート４０設置時の作用と同様であるので省略する。
【００４７】
図２１に示すように、収納式シート１開放状態において、支持部材５２の背部取付棒５２ｃを残部シェル１１の取付レール２２に、上方よりスライドさせながら取り付けていく。この背部取付棒５２ｃの挿入端は、レール支持孔２３に届くところまで挿入するのだが、それと同じくして底部取付棒５２ｂが開閉部シェル１２の取付部３０に到達する。その際、チャイルドシート４０の場合と同様、引掛棒２９ｃを前方に押しつけながら底部取付棒５２ｂの下端の引掛部５２ｅを挿入し、引掛部５２ｅの鍵状部分を引掛棒２９ｃに噛み合わせる。この場合も、引掛棒２９ｃに取り付けられたバネによって両者はしっかりと固定されることとなる。
【００４８】
支持部材５２の設置完了後、上方より、かご部材５１を支持枠５２ａに合わせ、アーム５１ｂを前方に寝かせることによって固定部５１ｄを受け部５２ｄに噛ませ、固定する。収納式シート１を収納状態にする場合には、上記と反対の順序でかご部材５１を取り外し、チャイルドシート４０の場合同様、開閉部シェル１２左右の開放ロック部１７を引き、開閉部シェル１２を起こすことによって行う。なお、本作用の場合には、チャイルドシート４０の場合と異なり、支持部材５２は、開口部２１よりトランク内部に収納されることとなる。
【００４９】
（３）ブースターシート設置時の作用
図２２は、収納式シート１に対して、ブースターシート６０を設置した様子を示す斜視図である。なお、収納式シート１の開閉作用の詳細については、チャイルドシート４０設置時の作用と同様であるので省略する。
【００５０】
収納式シート１開放状態において、シート６１の背もたれ部背面に設けられた背部取付部６４を取付レール２２に対して、上方よりスライドさせながら取り付けていく。この背部取付部６４の挿入端は、レール支持孔２３に届くところまで挿入するのだが、それと同じくして底部取付部６３が開閉部シェル１２の取付部３０に到達する。その際、チャイルドシート４０及びベビーシート４０の場合と同様、引掛棒３０ｅを前方に押しつけながら底部取付部６３の下端の引掛部を挿入し、引掛部の鍵状部分を引掛棒３０ｅに噛み合わせる。この場合も、引掛棒３０ｅに取り付けられたバネによって両者はしっかりと固定されることとなる。
【００５１】
設置作業が完了したら、子供を座らせる。この場合、ベルトは収納式シート１の収納時に用いるシートベルトを用いる（図示せず）。また、ブースターシート６０を収納する場合は、子供を降ろし、肘掛部６２を残部シェル１１側に折り畳み、その後はチャイルドシート４０及びベビーシート４０の開閉作業と同様の作業を行う。なお、上述の通り、ブースターシート６０は折り畳み式であるので、開閉部シェル１２が閉じるのに応じて折り畳まれる。
【００５２】
（４）クーラボックス設置時の作用
図２３は、収納式シート１に対して、クーラボックス７０を設置した様子を示す斜視図である。なお、収納シート１の開閉作用の詳細については、チャイルドシート４０設置時の作用と同様であるので省略する。
【００５３】
まず、収納式シート一後部のトランク（図示せず）から、開口部２１に向けて、ボックス部７１を設置する。この際、ボックス部の開口７１ａ及び排気口７１ｂが、それぞれ残部シェル１１の開口部２１及びトランク底部に設けられた換気口に合わさるようにしなければならない。次に、蓋部７２の表面に固定された一対の底部取付部７３を開閉部シェル１２の取付部３０に取り付ける。その様子は、フットレスト４９における支持部４９ｂにおける場合と同様であるので省略する。そして、チャイルドシート４０の場合と同様の方法によって開閉部シェル１２の開閉作業を行うことによって、クーラボックス７０を開閉することができる。
【００５４】
〔３．実施の形態の効果〕
以上のような本実施の形態によれば、収納式シート１は、以下に示すような作用を奏する。
【００５５】
（１）残部シェル１１の取付レール２２及び開閉部シェル１２の取付部３０の構造が、複数物品の取り付けに対応できる共通構造を有しているため、収納式シート１は、チャイルドシート４０の収納のみならず、用途及び目的に応じた様々な物品の収納を可能とすることができる。即ち、幼児の成長段階に合わせて、シートを簡易に交換、取付及び収納できるのみならず、幼児がチャイルドシート等を必要としなくなった後においても、収納式シートとして多目的に活用することができるため、安全性、利便性の著しい向上が実現する。
【００５６】
（２）収納シート１収納時には、収納レバー部１４及びロック受け部２５と収納バックル及び胸部鞘２４とを介して、開閉部シェル１２を残部シェル１１に対して、２箇所でロックすることができる。従って、例えば、衝突等による極度な衝撃等が加わった場合であっても、誤開放等するのを防ぐことができ、安全性が確保される。
【００５７】
（３）開閉部シェル１２の開閉動作を、両シェル間に設けられた開閉制御部１５によって、開閉速度を調節することができるので、急激な開閉によって開閉部シェル１２とシートクッション３間や両シェル間に手などを挟まれることを防ぐことができる。
【００５８】
（４）開閉部シェル１２開放時の開放ロック部１６の作用によって、開閉部シェル１２の回動を制御できるため、自動車の上下左右方向への揺れや衝撃等によって、開閉部シェル１２が跳ね上がったり、閉じたりするのを防ぐことができる。
【００５９】
（５）残部シェル１１及び開閉部シェル１２内で、ケーブル４０によって収納レバー部１４、胸部鞘２４及び脚部鞘２７を連結し、収納レバー部１４のみを引くだけで、胸部鞘２４及び脚部鞘２７のロックを解除することができるので、収納シート１の収納状態解除及びチャイルドシート４０使用時の両固定シールドの拘束解除が容易にすることが可能となる。また、かかる収納レバー１４は、開閉部シェル１２の上端部に設置されると共に、レバー式の構造であるため、従来技術で見られるような、幼児自身による解放や、自動車の急ブレーキや衝突等の突発的事態における誤解放等を防ぐことが可能となり、安全性を高めることができる。
【００６０】
（６）チャイルドシート４０において、胸部固定部４２と脚部固定部４４との上下２箇所から幼児を固定することによって、幼児の上半身及び下半身を独立して保護でき著しく安全性が高まると共に、アジャストバックル４２ａによって両者を一括操作できるので、胸部固定部４２及び脚部固定部４４等の調節を容易にし且つ手間を省くことができる。
【００６１】
（７）ベビーシート５０において、アーム５１ｂの操作に伴う固定部５１ｄ及び受け部５２ｄの作用によって、かご部材５１を支持部材５２に対して着脱することができ、かご部材のみ持ち運ぶことが可能となると共に、例えば、ベビーカーに取り付けられるような共通構造を持たせることで、著しく利便性を向上させることができるようになる。
【００６２】
（８）残部シェル１１の一部に開口部２１を設けることで、トランクから開口部２１に向かってクーラボックスを設置が可能となり、開閉部シェル１２を開閉することにより車内からクーラボックスを利用することができるようになる。このことは、幼児が成長し、もはやチャイルドシート４０等を必要としなくなった場合においても、収納式シート１の機能を無駄にすることなく他の用途に利用でき、収納式シート１の経済性、利便性を高めることとなる。
【００６３】
〔４．他の実施の形態〕
本発明は、上記のような実施の形態に限定されるものではなく、例えば、次のような実施の形態も含む。すなわち、開閉部シェル１２の腰掛部２６を防水構造としたり、腰掛部２６の凹凸を埋めるような防水部材を設置することによって、トランクと連結する開口部２１と連携して、例えば、雨天時における傘の収納箇所として、また生鮮食料品や飲料水のボトル等、湿り気を帯びたものを収納するスペースとして利用する等、上記の作用に加え、用途及び目的に対応したさまざまな活用方法を提供することができるようになる。
【００６４】
【発明の効果】
以上説明してきたように、本発明によれば、チャイルドシート等をシートバックに交換可能に組み込むことができることによって、用途が多目的で、さらに安全性、経済性、利便性に優れた収納式シートを提供することができる。
【図面の簡単な説明】
【図１】本発明の実施の形態における収納式シートの全体構成を示す斜視図である。
【図２】本発明の実施の形態における開放ロック部の構成を示す斜視図及び模式図である。
【図３】本発明の実施の形態における残部シェルの構成を示す斜視図及び取付レールの構成を示す断面図である。
【図４】本発明の実施の形態における取付レールの構成を示す断面図である。
【図５】本発明の実施の形態における開閉部シェルの構成を示す斜視図である。
【図６】本発明の実施の形態における残部シェル及び開閉部シェル内部のケーブルの構成を示す斜視図である。
【図７】本発明の実施の形態における残部シェルの収納レバー部の構成を示す模式図である。
【図８】本発明の実施の形態における残部シェル及び開閉部シェル内部の連結部の構成を示す模式図である。
【図９】本発明の実施の形態における胸部鞘及び脚部鞘内部の構成を示す模式図である。
【図１０】本発明の実施の形態における取付部の構成を示す斜視図である。
【図１１】本発明の実施の形態におけるチャイルドシートの構成を示す斜視図である。
【図１２】本発明の実施の形態におけるフットレストの構成を示す斜視図である。
【図１３】本発明の実施の形態におけるチャイルドシートの胸部固定部の構成を示す斜視図である。
【図１４】本発明の実施の形態におけるチャイルドシートの取付棒の構成を示す断面図である。
【図１５】本発明の実施の形態におけるベビーシートの構成を示す斜視図及び模式図である。
【図１６】本発明の実施の形態におけるベビーシートの固定部の構成を示す模式図である。
【図１７】本発明の実施の形態におけるブースターシートの構成を示す斜視図である。
【図１８】本発明の実施の形態におけるクーラボックスの構成を示す斜視図である。
【図１９】本発明の実施の形態における収納式シートの開閉作用を示す模式図である。
【図２０】本発明の実施の形態における収納式シートのチャイルドシート取付時の作用を示す斜視図である。
【図２１】本発明の実施の形態における収納式シートのベビーシート取付時の作用を示す斜視図である。
【図２２】本発明の実施の形態における収納式シートのブースターシート取付時の作用を示す斜視図である。
【図２３】本発明の実施の形態における収納式シートのクーラボックス取付時の作用を示す斜視図である。
【図２４】従来の技術における収納式チャイルドシートを示す斜視図である。
【図２５】従来の技術におけるチャイルドシートのベルトの構成を示す斜視図である。
【符号の説明】
１…収納式シート
２…シートクッション
３…シートバック
４…安全ボーン
１１…残部シェル
１２…開閉部シェル
１３…連結棒
１４…収納レバー部
１５…開閉制御部
１６…開放ロック部
１７…円盤
１８…取手
１９…ロック部
１９ｂ…ロックバー
２０…解除部
２１…開口部
２２…取付レール
２３…レール支持孔
２４…胸部鞘
２５…ロック受け部
２６…腰掛部
２７…側面部
２８…側方壁
２９…脚部鞘
３０…収納バックル
３１…取付部
３１ａ…開口部
３１ｂ…内孔
３１ｃ…外孔
３１ｄ…差込孔
３１ｅ…引掛棒
３２…脚部ベルト孔
３３…ケーブル
３４…連結部
４０…チャイルドシート
４１…背もたれ部
４２…胸部固定部
４３…胸部ベルト
４４…脚部固定部
４５…脚部ベルト
４６、４７…バックル
４８…取付棒
４９…フットレスト
４９ａ…足掛部
４９ｂ…支持部
４９ｃ…引掛部
４９ｄ…差込棒
５０…ベビーシート
５１…かご部材
５１ａ…かご
５１ｂ…アーム
５１ｃ…回動部
５１ｄ…固定部
５２…支持部材
５２ａ…支持枠
５２ｂ…底部取付棒
５２ｃ…背部取付棒
５２ｄ…受け部
６０…ブースターシート
６１…シート
６２…肘掛け
６３…底部取付部
６４…背部取付部
７０…クーラボックス
７１…ボックス部
７１ａ…開口
７１ｂ…排気口
７２…蓋部
７３…底部取付部
【図１】
0003571681.tif 000002
【図２】
0003571681.tif 000003
【図３】
0003571681.tif 000004
【図４】
0003571681.tif 000005
【図５】
0003571681.tif 000006
【図６】
0003571681.tif 000007
【図７】
0003571681.tif 000008
【図８】
0003571681.tif 000009
【図９】
0003571681.tif 000010
【図１０】
0003571681.tif 000011
【図１１】
0003571681.tif 000012
【図１２】
0003571681.tif 000013
【図１３】
0003571681.tif 000014
【図１４】
0003571681.tif 000015
【図１５】
0003571681.tif 000016
【図１６】
0003571681.tif 000017
【図１７】
0003571681.tif 000018
【図１８】
0003571681.tif 000019
【図１９】
0003571681.tif 000020
【図２０】
0003571681.tif 000021
【図２１】
0003571681.tif 000022
【図２２】
0003571681.tif 000023
【図２３】
0003571681.tif 000024
【図２４】
0003571681.tif 000025
【図２５】
0003571681.tif 000026